(57)【要約】【課題】  画像データを記憶するローカルメモリにおいて、画像データを無効化して、画像データの漏洩を防止する。【解決手段】  入力された画像データは、ローカルメモリ１０に記憶され、画像処理されてからハードディスク装置４に保存される。ハードディスク装置４から読み出された画像データは、ローカルメモリ１０に記憶され、印字部３ａから画像として印刷されたり、あるいは通信部５からデータ通信される。画像データの入力が完了したとき、ローカルメモリ１０に画像データが記憶されたままにあるので、ランダムなデータを上書きして、画像データを読み取れないように無効化する。画像データの処理が完了したときにも、画像データを無効化する。【選択図】  図１
2007049295.tif 000002
【特許請求の範囲】
【請求項１】
画像データを入力する入力手段と、入力された画像データを処理する処理手段と、処理する画像データを記憶する記憶手段と、前記記憶手段に記憶されている画像データを無効化する無効化手段と、装置本体の動作状況に応じて前記無効化手段の動作を制御する制御手段とを備えたことを特徴とするデータ処理装置。
【請求項２】
制御手段は、装置本体の動作が継続するとき、無効化手段の動作を禁止し、装置本体の動作が終了したとき、無効化手段を動作させることを特徴とする請求項１記載のデータ処理装置。
【請求項３】
処理するための画像データを一時的に保存する保存手段を備え、記憶手段は、画像データを処理するとき、処理に係る画像データを古い画像データに上書きして記憶し、前記保存手段は、前記記憶手段から転送された画像データを保存するとともに、画像データを処理するとき、保存している画像データを前記記憶手段に出力することを特徴とする請求項２記載のデータ処理装置。
【請求項４】
画像データを入力する入力手段と、入力された画像データを処理する処理手段と、処理する画像データを記憶する記憶手段と、前記記憶手段に記憶されている画像データを無効化する無効化手段と、１つのジョブに関する画像データの入力が完了したときに、前記無効化手段を動作させて、前記記憶手段の画像データを無効化する制御手段とを備えたことを特徴とするデータ処理装置。
【請求項５】
処理するための画像データを一時的に保存する保存手段を備え、制御手段は、記憶手段に記憶された画像データを前記保存手段に保存した後、画像データの入力がないとき、無効化手段を動作させて、前記記憶手段の画像データを無効化することを特徴とする請求項４記載のデータ処理装置。
【請求項６】
処理するための画像データを一時的に保存する保存手段を備え、制御手段は、前記保存手段に保存された画像データを読み出して記憶手段に記憶し、画像データの処理が完了した後、画像データの入力がないとき、無効化手段を動作させて、前記記憶手段の画像データを無効化することを特徴とする請求項４記載のデータ処理装置。
【請求項７】
画像データを入力する入力手段と、入力された画像データを処理する処理手段と、処理する画像データを記憶する記憶手段と、前記記憶手段に記憶されている画像データを無効化する無効化手段と、１つのジョブの途中で画像データの入力が中断したときに、前記無効化手段を動作させて、前記記憶手段の画像データを無効化する制御手段とを備えたことを特徴とするデータ処理装置。
【請求項８】
画像データを入力する入力手段と、入力された画像データを処理する処理手段と、処理する画像データを記憶する記憶手段と、前記記憶手段に記憶されている画像データを無効化する無効化手段と、装置本体における異常を検出する異常検出手段と、異常を検出して、装置本体の動作が停止したとき、前記無効化手段により前記記憶手段の画像データを無効化する制御手段とを備えたことを特徴とするデータ処理装置。
【請求項９】
画像データを入力する入力手段と、入力された画像データを処理する処理手段と、処理する画像データを記憶する記憶手段と、前記記憶手段に記憶されている画像データを無効化する無効化手段と、電源オン中に定期的に前記無効化手段を動作させ、前記記憶手段の画像データを無効化する制御手段とを備えたことを特徴とするデータ処理装置。
【請求項１０】
制御手段は、無効化手段を動作させるとき、装置本体の処理動作をチェックし、処理動作中であれば、無効化手段の動作を禁止することを特徴とする請求項９記載のデータ処理装置。
【請求項１１】
制御手段は、設定された時期に無効化手段を動作させることを特徴とする請求項１０記載のデータ処理装置。
【請求項１２】
制御手段は、設定された時間毎に無効化手段を動作させることを特徴とする請求項１０記載のデータ処理装置。
【請求項１３】
制御手段は、画像データの処理が完了したとき、保存手段の画像データを無効化することを特徴とする請求項３、５または６記載のデータ処理装置。
【請求項１４】
無効化手段は、記憶手段の画像データを無効化する第１の無効化処理手段と、保存手段の画像データを無効化する第２の無効化処理手段とを有し、制御手段は、少なくとも一方の無効化処理を選択的に実行することを特徴とする請求項３、５または６記載のデータ処理装置。
【発明の詳細な説明】
【技術分野】
【０００１】
本発明は、入力された画像データを記憶して、印刷、画像通信、ファクシミリ通信等の画像データに対する処理を行うデータ処理装置に関する。
【背景技術】
【０００２】
原稿の画像を電子的に走査して読み取り、画像データを複写するコピー機能を備えたデータ処理装置は、近年では機能の複合化が進んでいる。例えば、ＬＡＮ等のネットワークに接続され、パソコン等の情報処理装置から画像データを受信して、画像を印刷するネットワークプリンタの機能、読み取った画像データを情報処理装置に送信するネットワークスキャナの機能、ネットワークや電話回線を通じて外部のファクシミリ装置との間で画像データを送受信するファクシミリ機能を備えている。
【０００３】
多機能化されたデータ処理装置では、入力された画像データを一時的に保存する記憶装置を備えている。記憶装置には、半導体メモリから構成されるもの、ハードディスク装置などの磁気記憶媒体からなるものなど様々なタイプがあり、大量の画像データ、複数のジョブを効率よく処理することができる。
【０００４】
データ処理装置では、処理する画像データを記憶するローカルメモリとして高速で読み書きできる半導体メモリが用いられ、処理するための画像データを一時的に保存するためにハードディスク装置が用いられる。入力された画像データは、ローカルメモリ上で圧縮等の画像処理が行われ、この画像データがハードディスク装置に一時的に保存される。処理の順番が来たとき、保存されている画像データが読み出され、ローカルメモリ上で伸張等の画像処理がされ、印刷、画像通信、ファクシミリ通信等の所望の処理が行われて、外部に出力される。
【０００５】
機密性の高いデータをこのようなデータ処理装置で処理するとき、セキュリティ機能として、例えば特許文献１に記載されているように、処理が終了したときに、ハードディスク装置の画像データを消去したり、でたらめなデータで上書きする。さらに、特許文献２に記載されているように、消去作業を複数回行う。これによって、ハードディスク装置に保存されていた画像データは、完全に読取不可能となって、無効化される。
【特許文献１】特開平９−２８４５７２号公報
【特許文献２】特開２００４−７０５９号公報
【発明の開示】
【発明が解決しようとする課題】
【０００６】
ところで、揮発性メモリを使用するローカルメモリでは、古い画像データに新しい画像データが上書きされて記憶される。ローカルメモリへの電源供給が断たれると、画像データは消去される。しかし、データ処理装置を２４時間使用する場合、電源は常にオンされたままであるので、ローカルメモリには常に画像データが記憶されている。
【０００７】
ここで、データ処理装置にノイズや原稿の誤検知等によって異常が発生して、画像データの入力が正常でなくなる場合や、画像データが入力されていないにもかかわらず、入力されたと誤って判断される場合がある。このとき、ローカルメモリに記憶されている古い画像データは上書きされず、そのまま処理が行われる。例えば、前回入力された画像が印刷されるといった不具合が生じ、ユーザにセキュリティ上の不安感を与えてしまう。
【０００８】
本発明は、上記に鑑み、ローカルメモリにおける画像データを無効化して、異常発生時に古い画像データが漏洩することを防げるデータ処理装置の提供を目的とする。
【課題を解決するための手段】
【０００９】
本発明は、画像データを入力する入力手段と、入力された画像データを処理する処理手段と、処理する画像データを記憶する記憶手段と、前記記憶手段に記憶されている画像データを無効化する無効化手段と、装置本体の動作状況に応じて前記無効化手段の動作を制御する制御手段とを備えたものである。
【００１０】
装置本体が動作しているとき、ローカルメモリである記憶手段には、画像データが次々に記憶される。その画像データに対して処理が行われていくので、無効化する必要はない。すなわち、制御手段は、装置本体の動作が継続するとき、無効化手段の動作を禁止し、装置本体の動作が終了したとき、無効化手段を動作させる。したがって、記憶手段に最後に記憶された画像データが無効化され、この画像データは再現することができない。
【００１１】
そして、処理するための画像データを一時的に保存する保存手段を備え、記憶手段は、画像データを処理するとき、処理に係る画像データを古い画像データに上書きして記憶し、前記保存手段は、前記記憶手段から転送された画像データを保存するとともに、画像データを処理するとき、保存している画像データを前記記憶手段に出力する。すなわち、記憶手段にランダムなデータを上書きすることによって、画像データを無効化できる。
【００１２】
制御手段は、１つのジョブに関する画像データの入力が完了したときに、前記無効化手段を動作させて、前記記憶手段の画像データを無効化する。動作状況の１つとして、画像データの入力の有無を検出する。画像データの入力があるときは、ジョブが継続しているので、無効化手段の動作は禁止される。画像データの入力がないとき、ジョブが完了したので、無効化手段は動作する。すなわち、ジョブ単位で無効化が行われる。
【００１３】
詳しくは、制御手段は、記憶手段に記憶された画像データを前記保存手段に保存した後、画像データの入力がないとき、無効化手段を動作させて、前記記憶手段の画像データを無効化する。また、制御手段は、前記保存手段に保存された画像データを読み出して記憶手段に記憶し、画像データの処理が完了した後、画像データの入力がないとき、無効化手段を動作させて、前記記憶手段の画像データを無効化する。
【００１４】
制御手段は、１つのジョブの途中で画像データの入力が中断したときに、前記無効化手段を動作させて、前記記憶手段の画像データを無効化する。動作状況の１つとして、ジョブが途中でキャンセルされる場合がある。この場合でも、画像データの入力がなくなるので、無効化手段が動作する。
【００１５】
動作状況には、異常の発生によって動作が停止する場合がある。そこで、装置本体における異常を検出する異常検出手段を設け、制御手段は、異常を検出して、装置本体の動作が停止したとき、前記無効化手段により前記記憶手段の画像データを無効化する。
【００１６】
異常が解消して、正常に動作するとき、記憶手段には、古い画像データがそのままの形では記憶されていない。したがって、記憶手段に記憶されている画像データに基づいて、印刷等の処理が行われても、本来の画像データは再現できず、機密が漏洩することはない。
【００１７】
動作状況として、電源のオンオフがあげられる。制御手段は、電源オン中に定期的に前記無効化手段を動作させ、前記記憶手段の画像データを無効化する。このとき、制御手段は、無効化手段を動作させるとき、装置本体の処理動作をチェックし、処理動作中であれば、無効化手段の動作を禁止する。無効化と処理動作が重なった場合、処理動作が優先して行われ、処理動作が完了してから、無効化が行われる。
【００１８】
無効化手段の動作タイミングとしては、設定された時期に無効化手段を動作させたり、あるいは、設定された時間毎に無効化手段を動作させる。電源オンが継続していると、定期的に画像データの無効化が行われる。
【００１９】
さらに、制御手段は、画像データの処理が完了したとき、保存手段の画像データを無効化する。これによって、入力された画像データを完全に無効化できる。保存手段の画像データの無効化は、１つのジョブの途中で画像データの入力が中断したとき、異常の発生によって動作が停止したときに行ってもよい。
【００２０】
また、無効化手段は、記憶手段の画像データを無効化する第１の無効化処理手段と、保存手段の画像データを無効化する第２の無効化処理手段とを有し、制御手段は、少なくとも一方の無効化処理を選択的に実行する。電源オンが継続するような動作状況となる場合には、第１の無効化処理手段を少なくとも選択する。ところで、記憶手段によっては、電源オフによって画像データが消去されるものがある。そのため、電源をオンオフするような動作状況では、第２の無効化処理手段を少なくとも選択する。
【発明の効果】
【００２１】
本発明によると、画像データが入力されると、ローカルメモリである記憶手段に画像データが記憶されるが、画像データの入力完了、ジョブの完了、ジョブの中断、異常の発生といったように動作状況に変化があったとき、記憶手段の画像データが無効化される。したがって、記憶手段に残っていた古い画像データが出力されることはなく、画像データの漏洩を防止でき、データ処理装置におけるセキュリティが向上する。
【発明を実施するための最良の形態】
【００２２】
本実施形態のデータ処理装置を図１に示す。本データ処理装置は、コピーモード、プリンタモード、スキャナモードおよびファクシミリモードを有するデジタル複合機であり、原稿を読み取って画像データを入力する画像読み取り部１と、ユーザの入力を受け付ける操作部２と、画像データの印刷を行う画像形成部３と、画像データを保存するハードディスク装置４と、外部機器との通信を行う通信部５と、ファクシミリ装置６と通信するためのＦＡＸモデム７と、装置全体の制御情報や設定情報等を記憶している管理部８と、装置全体の制御を司る機器制御部９とを備えている。
【００２３】
画像読み取り部１は、画像データを入力する入力手段として機能し、ＣＣＤ１ａといった撮像素子と、原稿台や自動原稿送り装置（ＡＤＦ）にセットされた原稿を検知する原稿検知センサ１ｂとを有する。ＣＣＤ１ａによって読み取られた画像データは画像形成部３に出力される。
【００２４】
操作部２は、各種入力キーからなる入力部２ａと、液晶ディスプレイ等の表示部２ｂとを有し、装置全体の操作や各種設定の入力が行われ、入力内容や装置全体の動作状況が表示される。
【００２５】
画像形成部３は、画像データを記憶する記憶手段であるローカルメモリ１０と、レーザ走査ユニットからなる印字部３ａと、画像データを暗号化、復号化するセキュリティ部３ｂとを有する。ローカルメモリ１０は、ＳＤＲＡＭ、フラッシュメモリ等の読み書き可能な半導体メモリを用いる。ローカルメモリ１０は、古い画像データに新しい画像データを上書きすることにより、画像データを記憶する。印字部３ａは、ローカルメモリ１０に記憶された画像データに基づいて、図示しない給紙部から供給される記録シートに画像を印刷する。
【００２６】
画像形成部３では、入力された画像データがローカルメモリ１０に記憶され、ローカルメモリ１０上で画像データの圧縮、伸張、加工等の画像処理が行われ、画像処理された画像データが印字部３ａ、ハードディスク装置４あるいは機器制御部９に出力される。ローカルメモリ１０は、入力された画像データを記憶する入力データ領域と、出力するための画像データを記憶する出力データ領域とに分割されている。なお、１つのローカルメモリ１０を分割して使用する代わりに、２つのローカルメモリ１０を使用してもよい。
【００２７】
ハードディスク装置４は、処理するための画像データを一時的に保存する保存手段とされる。ハードディスク装置４に画像データが保存されるとき、必要に応じて画像データは暗号化される。
【００２８】
通信部５は、ＬＡＮケーブルを介してルータ、スイッチングハブ等に接続され、パソコン、サーバ等の情報処理装置１１によって形成されたネットワークと接続される。ネットワークは、電話回線網や光ファイバ等の通信回線を介してインターネットに接続される。通信部５は、ネットワーク内の情報処理装置１１とデータの送受信を行うとともに、インターネットを通じて外部の情報処理装置１２やファクシミリ装置１３とデータの送受信を行う。ＦＡＸモデム７は、電話線を介して電話回線網に接続され、外部のファクシミリ装置６とファクシミリ通信を行う。したがって、通信部５やＦＡＸモデム７を通じて画像データが入力されるので、これらも入力手段として機能する。
【００２９】
機器制御部９は、操作部２からの入力や外部機器からのデータ入力があると、管理部８に記憶されている情報に基づいて各部を制御して、入力された画像データを処理する。すなわち、入力された画像データに対してコピーモード、プリンタモード、スキャナモード、ファクシミリモードのいずれかを実行する。
【００３０】
そして、データ処理装置は、ローカルメモリ１０およびハードディスク装置４の画像データを無効化する無効化手段１４を備えており、機器制御部９が、装置全体の動作状況に応じて無効化手段１４の動作を制御する。画像データの無効化とは、ランダムなデータや無意味なデータを上書きしたり、あるいは消去したりして、記憶されていた画像データを読み取り不可能にして、元の画像を再現できないようにすることである。したがって、無効化手段１４は、ローカルメモリ１０に対しては上書きすることによって画像データを無効化し、ハードディスク装置４に対しては上書きあるいは消去によって画像データを無効化する。なお、ローカルメモリ１０に揮発性メモリを用いた場合、電源をオフすると、記憶されている画像データは消去される。そこで、揮発性メモリが用いられている場合、無効化手段１４は、ローカルメモリ１０への電源供給を断つようにしてもよい。
【００３１】
次に、各モードを実行するときの動作を説明する。まず、コピーモード時には、画像読み取り部１により読み取られた原稿の画像データが、画像形成部３から複写物として出力される。具体的には、読み取り位置にセットされた原稿の画像をＣＣＤ１ａによって読み取る。ＣＣＤ１ａから出力された画像データは、ローカルメモリ１０上に出力画像として完成され、一旦ハードディスク装置４に転送されて保存される。原稿が複数ある場合は、この読み取り、記憶の動作が繰り返される。
【００３２】
その後、操作部２から指示された処理内容に基づいて、ハードディスク装置４に保存された画像データが適切なタイミングで順次読み出され、ローカルメモリ１０に送られる。そして、印字部３ａへの書き込みタイミングに合わせて、画像データがローカルメモリ１０から印字部３ａへと転送され、画像が記録シートに印刷される。
【００３３】
また、読み取った画像データを複数枚印刷する場合も同様に、画像データが出力画像としてページ単位でハードディスク装置４へ記憶され、出力するモードに合わせてハードディスク装置４からローカルメモリ１０に送られる。ローカルメモリ１０の画像データは、出力枚数の分だけ繰り返し、印字部３ａへの書き込みタイミングに合わせて印字部３ａへ転送される。
【００３４】
プリンタモード時には、情報処理装置１１，１２から出力された画像データが、画像形成部３から出力される。すなわち、情報処理装置１１，１２からの画像データが、通信部５により受信される。機器制御部９は、入力された画像データをローカルメモリ１０に送り、出力する画像データとしてページ単位に展開し、一旦ハードディスク装置４に記憶する。そして、画像データは、ハードディスク装置４からローカルメモリ１０に送られ、コピーモードの場合と同様にして印字部３ａへと転送され、画像が印刷される。
【００３５】
スキャナモード時には、画像読み取り部１において読み取られた原稿の画像データが、ネットワークを通じて任意の情報処理装置１１，１２にデータ通信される。すなわち、ＣＣＤ１ａから出力された画像データは、ローカルメモリ１０上に出力画像として完成され、一旦ハードディスク装置４へ保存される。そして、画像データがハードディスク装置４からローカルメモリ１０に送られ、機器制御部９は、操作部２を介して指示されたネットワーク内の送信先との通信を確立させ、通信部５から目的の送信先に画像データを送信する。さらに、画像データは、通信部５によりネットワークからインターネットを通じて、外部の情報処理装置１２やファクシミリ装置１３にも送信される。また、機器制御部９は、ファクシミリモード時にも同様の動作によって、ＦＡＸモデム７から電話回線６を通じてファクシミリ装置６に画像データを送信する。
【００３６】
上記のように入力された画像データを処理するとき、図２に示すように、画像データはローカルメモリ１０に記憶され、さらにハードディスク装置４に保存される。１つのジョブが完了するまで、ローカルメモリ１０には、画像データが次々に上書きされ、新しい画像データが記憶される。ハードディスク装置４には、入力された画像データが保存されていく。
【００３７】
１つのジョブにおいて、一連の画像データの入力が完了すると、ローカルメモリ１０には、最後の画像データが記憶される。ハードディスク装置４に、ローカルメモリ１０から入力された全ての画像データが保存されると、ローカルメモリ１０は開放される。
【００３８】
このとき、機器制御部９は、新しい画像データの入力がないかを確認する。この入力の有無は、タイマーにより次のデータ入力までの時間を計時し、一定時間内にデータ入力があるか否かによって確認される。あるいは、原稿台や原稿読み取り部における原稿の有無に基づいて、画像データの入力の有無を確認してもよい。
【００３９】
画像データの入力がないとき、機器制御部９は、１つのジョブの画像データの入力が完了したことを確認すると、無効化手段１４を動作させる。ローカルメモリ１０の入力データ領域に記憶されている画像データを無効化する。引き続いて次のジョブにおける画像データの入力があるとき、機器制御部９は、無効化手段１４の動作を禁止する。なお、ハードディスク装置４に保存されている画像データは無効化されない。
【００４０】
また、図３に示すように、ローカルメモリ１０の出力データ領域には、出力するためにハードディスク装置４から読み出された画像データが記憶される。１つのジョブにおける画像データの入力が完了して、このジョブでの印刷等の出力が完了したとき、機器制御部９は、別のジョブがあるかを確認する。これは、ハードディスク装置４に別のジョブの画像データが保存されているか否かによって確認される。機器制御部９は、別のジョブがないことを確認すると、ローカルメモリ１０の出力データ領域に記憶されている画像データを無効化する。別のジョブがあるとき、無効化手段１４の動作は禁止される。
【００４１】
ジョブの有無に応じて無効化されるローカルメモリ１０の状態を図４、５に基づいて説明する。図４にデータ処理装置で行われるジョブの一覧を示す。例えば、ジョブ００１では、実行される処理がコピーとされ、Ａ４サイズの原稿３枚を５部印刷する。このジョブが終了したとき、ローカルメモリ１０には、ジョブ００１の画像データがＡ４エリアに記憶されている。引き続いてジョブ００２が行われ、これが完了したとき、図５（１）に示すように、Ｂ４エリアに画像データが記憶される。新しい画像データが上書きされるので、ジョブ００１の画像データは消去される。なお、図５中、破線で示す画像データは、無効化された状態を表している。
【００４２】
ジョブ００３は、一定時間以上経過してから行われる。そのため、一定時間経過したとき、無効化手段が動作して、ジョブ００２の画像データは無効化される。その後、ジョブ００３が行われたとき、ローカルメモリ１０には、（２）に示すように、ジョブ００３の画像データが記憶されている。このとき、Ａ４エリアに画像データが記憶され、Ｂ４エリアの一部は上書きされないが、Ｂ４エリアは無効化されているので、ジョブ００２の画像データは読み取り不可能である。
【００４３】
ジョブ００３の完了後、ジョブ００４までは一定時間以上あるので、ジョブ００３の画像データは無効化される。ジョブ００４が完了すると、（３）に示すように、ローカルメモリ１０にはジョブ００４の画像データが記憶されている。
【００４４】
引き続いてジョブ００５が行われる。（４）に示すように、ジョブ００４の画像データにジョブ００５の画像データが上書きされる。さらに引き続いてジョブ００６が行われる。ジョブ００６のＡ４サイズの画像データが上書きされるが、（５）に示すように、Ｂ４エリアに記憶されるジョブ００５の画像データの一部はそのまま記憶されている。
【００４５】
ジョブ００６が完了して、別のジョブがないと、ローカルメモリ１０の画像データは無効化される。このとき、全エリアの画像データが無効化されるので、上書きされずに残っていたジョブ００５の画像データも無効化される。
【００４６】
ところで、１つのジョブが途中で中断される場合がある。例えば、原稿の読み取り中にストップキーが操作されると、新しい画像データの入力がキャンセルされる。あるいは、情報処理装置１１，１２からの画像データの送信がキャンセルされる。このような場合、機器制御部９は、無効化手段１４を動作させ、ローカルメモリ１０およびハードディスク装置４の画像データを無効化する。
【００４７】
画像データの入力が中断されたとき、ローカルメモリ１０には、中断前の画像データが記憶され、ハードディスク装置４には、入力された全ての画像データが保存されている。新しい画像データの入力がなくなって、ローカルメモリ１０が開放されると、無効化手段１４が動作する。ローカルメモリ１０の画像データが無効化されるとともに、ハードディスク装置４の画像データも消去される。
【００４８】
また、データ処理装置に異常が発生したときにも、ジョブが途中で中断される。この場合、機器制御部９は、上記と同様に無効化手段１４を動作させ、ローカルメモリ１０およびハードディスク装置４の画像データを無効化する。
【００４９】
すなわち、機器制御部９は、装置本体の異常を検出する異常検出手段を有する。異常検出手段は、原稿詰まり、シート詰まり、シート無し、トナー無し、トナー濃度低下等の何らかの異常によって、装置本体の動作が停止したことを検出する。機器制御部９は、動作の停止を検出すると、その異常原因を確認して、無効化手段１４を動作させる。
【００５０】
なお、機器制御部９は、原稿詰まり、シート詰まり、シート無しのような、すぐに復旧できる軽微な異常の場合には、無効化手段１４の動作を禁止する。そして、軽微な異常以外の異常の場合には、無効化手段１４を動作させる。このような軽微な異常はすぐに解消され、装置本体の動作が再開される。今まで入力された画像データは残されているので、引き続いて画像データの処理が続行される。
【００５１】
次に、他の実施形態として、電源オンが継続しているとき、定期的に無効化手段１４を動作させる。すなわち、データ処理装置が２４時間稼動している場合、機器制御部９は、定期的に無効化手段１４を動作させる。動作させるタイミングとしては、設定された時期とする。図６に示すように、表示部２ｂに、メモリ管理画面が表示され、まず定期的な無効化の実行を選択する。この実行を選択したとき、実行させる時間を設定する。これによって、１日のある決まった時間になると、自動的にローカルメモリ１０の画像データの無効化が行われる。
【００５２】
上記では、１日１回だけ無効化が行われるが、設定された時間毎に繰り返し動作させることもできる。定期的な無効化の実行を選択して、所定時間を設定する。機器制御部９は、電源を投入してからの経過時間を計時し、所定時間毎、例えば１時間毎に無効化手段１４を動作させる。
【００５３】
以上のように設定されたタイミングで無効化が行われるが、このタイミングが画像データの処理中の場合がある。そこで、機器制御部９は、無効化手段１４を動作させるとき、装置本体の処理動作をチェックし、無効化手段１４の動作を許容するか禁止するかを判断する。処理動作中であれば、無効化手段１４の動作を禁止し、処理動作していないとき、無効化手段１４の動作を許容する。無効化を禁止したとき、処理動作を監視して、処理動作が完了すると、無効化を実行する。
【００５４】
図７に示すように、機器制御部９は、タイマーによって経過時間を計時しており、設定されたタイミングになったか確認する。そのタイミングが到来したとき、ジョブが行われているかチェックする。ジョブの処理動作中であれば、無効化を行わず、無効化するタイミングを遅延させ、処理動作が完了するまで待つ。ジョブの処理動作が完了したことを確認すると、無効化手段１４を動作させ、画像データを無効化する。
【００５５】
このように、無効化を実行するタイミングを任意に設定できることにより、夜間や昼休み中に実行するようにすれば、ジョブがないときに実行でき、データ処理装置の稼動が効率的となる。
【００５６】
データ処理装置では、一定時間以上、何もジョブがないとき、節電状態になる。そこで、このタイミングに合わせて無効化手段１４を動作させてもよい。この場合、ジョブの処理動作は行われていないので、遅延されることなく無効化が行われる。
【００５７】
また、データ処理装置は２４時間使用されるとは限らず、夜間等に電源をオフする使用形態もある。この場合、電源オフによって、ローカルメモリ１０の画像データは消去される。そこで、機器制御部９は、ローカルメモリ１０の画像データを無効化する第１の無効化処理と、ハードディスク装置の画像データを無効化する第２の無効化処理との２つの無効化処理のうち少なくとも一方を選択的に実行する。
【００５８】
すなわち、データ処理装置が２４時間使用される場合には、少なくとも第１の無効化処理を実行する。２４時間連続して使用されない場合、少なくとも第２の無効化処理を実行する。使用形態に関係なく、両方の無効化処理を実行してもよい。この選択は、機器制御部が、装置本体の動作状況から使用形態を判断して、自動的に選択してもよく、あるいは操作部２からの入力によって設定してもよい。
【００５９】
なお、本発明は、上記実施形態に限定されるものではなく、本発明の範囲内で上記実施形態に多くの修正および変更を加え得ることは勿論である。画像データを一時的に保存する保存手段として、ハードディスク装置に限らず、装置本体から取り外し可能な不揮発性メモリ、光ディスク、磁気ディスク、光磁気ディスク等の記録媒体を使用してもよい。
【００６０】
また、データ処理装置として、コピーモードおよびファクシミリモードを有する複合機であってもよく、さらにはコピー機、プリンタ、ファクシミリ装置といったように単一のモードだけの専用機であってもよい。そして、装置本体の動作状況の検出として、人の有無を検出する人体センサを設け、装置本体の近くに人がいるか否かを検出する。人が近くにいるとき、入力操作をする可能性があるので、機器制御部は、無効化手段の動作を禁止する。人がいないとき、画像データの入力がある可能性は低いので、機器制御部は、無効化手段を動作させる。
【図面の簡単な説明】
【００６１】
【図１】本発明のデータ処理装置の一実施形態であるデジタル複合機の概略構成を示す図
【図２】画像データの入力が完了したときのローカルメモリの無効化動作のフローチャート
【図３】画像データの処理が完了したときのローカルメモリの無効化動作のフローチャート
【図４】ジョブの一覧を示す図
【図５】画像データが無効化されるときのローカルメモリの状態を示す図
【図６】無効化動作のタイミングを設定するための設定画面を示す図
【図７】定期的に無効化動作するときのフローチャート
【符号の説明】
【００６２】
１    画像読み取り部
２    操作部
３    画像形成部
４    ハードディスク装置
５    通信部
７    ＦＡＸモデム
８    管理部
９    機器制御部
１０    ローカルメモリ
１４    無効化手段
【図１】
2007049295.tif 000003
【図２】
2007049295.tif 000004
【図３】
2007049295.tif 000005
【図４】
2007049295.tif 000006
【図５】
2007049295.tif 000007
【図６】
2007049295.tif 000008
【図７】
2007049295.tif 000009